(57)【要約】【課題】設置状態が変わっても、動作状態が使用者にわかりやすく報知できるプロジェクターを提供する。【解決手段】プロジェクター１の筐体に２備えられた本体報知部２６を、報知状態の異なる第１報知モード、または第２報知モードのいずれかに設定する報知モード設定手段２０１を備え、制御手段２０は、報知モード設定手段２０１に設定された第１報知モード、または第２報知モードに基づき、プロジェクター１の動作状態を本体報知部２６により報知する。【選択図】図３
2013061515.tif 000002
【特許請求の範囲】
【請求項１】
画像を投写して表示するプロジェクターであって、
当該プロジェクターの筐体に備えられ、当該プロジェクターの動作状態を報知する本体報知部と、
前記報知部を、報知状態の異なる第１報知モード、または第２報知モードのいずれかに設定する報知モード設定手段と、
当該プロジェクターの動作を制御する制御手段と、
を備え、
前記制御手段は、前記報知モード設定手段に設定された前記第１報知モード、または前記第２報知モードのいずれかに基づき、当該プロジェクターの動作状態を前記本体報知部により報知することを特徴とするプロジェクター。
【請求項２】
請求項１に記載のプロジェクターであって、
当該プロジェクターの設置状態を天吊設置モード、または正置設置モードのいずれかに設定する設置モード設定手段をさらに備え、
前記報知モード設定手段は、前記設置モード設定手段による設定状態に基づき、前記報知部を前記第１報知モードまたは前記第２報知モードのいずれかに設定することを特徴とするプロジェクター。
【請求項３】
請求項１または２に記載のプロジェクターであって、
当該プロジェクターの周囲の明るさを検出する照度検出手段をさらに備え、
前記報知モード設定手段は、前記照度検出手段の検出結果に基づき、前記報知部を前記第１報知モードまたは前記第２報知モードのいずれかに設定することを特徴とするプロジェクター。
【請求項４】
請求項１から３のいずれか一項に記載のプロジェクターであって、
当該プロジェクターを天吊設置するための天吊装置と、
当該天吊装置上に備えられる天吊装置報知部と、
をさらに備え、
前記制御手段は、当該プロジェクターの動作状態を前記天吊装置報知部により報知することを特徴とするプロジェクター。
【請求項５】
画像を投写するプロジェクターの筐体に備えられ、動作状態を報知するための本体報知部を有するプロジェクターの制御方法であって、
前記本体報知部を、報知状態の異なる第１報知モードと、第２報知モードのいずれかに設定する報知モード設定ステップと、
当該プロジェクターの動作状態を前記本体報知部により、前記第１報知モードまたは前記第２報知モードのいずれかの報知モードで報知する報知ステップと、
を有することを特徴とするプロジェクターの制御方法。
【発明の詳細な説明】
【技術分野】
【０００１】
本発明は、プロジェクター、プロジェクターと天吊り装置とを含むプロジェクターシステム、およびプロジェクターの制御方法に関する。
【背景技術】
【０００２】
プロジェクターには、動作状態、エラー状態を使用者に報知するために、プロジェクターの筐体にＬＥＤ（Light Emitting Diode）などを用いた報知部（以下、ＬＥＤと称す）が備えられている。プロジェクターを机上で使い、使用者がそばにいる場合は、ＬＥＤによってプロジェクターの動作状態を視認できるが、プロジェクターを天吊設置するような場合は、使用者との距離が離れるため、ＬＥＤが小さく、暗い場合などは動作状態が視認しにくかった。しかし、ＬＥＤ表示を大きく、明るくした場合、比較的暗い部屋の机上で、使用者がプロジェクターのそばで操作するような場合、ＬＥＤ表示が投写の際に目障りになってしまうという問題があった。
【０００３】
特許文献１には双方向通信を行うリモートコントローラー（リモコン）で、音声や振動などにより使用者に報知するリモコンシステムが開示されている。このようなリモコンシステムによれば、動作状態の確認を行うことが可能なプロジェクターが提案されている。
【先行技術文献】
【特許文献】
【０００４】
【特許文献１】特開平１１−２６２０７３号公報
【発明の概要】
【発明が解決しようとする課題】
【０００５】
しかし、双方向通信を行うリモコンシステムを使う場合、コストアップになってしまうという問題があった。また、報知内容を確認するために都度リモコンが必要であり、本体キーのみで操作するなどリモコンを使わない場合、報知内容を容易には確認できなかった。さらに机上で使う場合と天吊で使う場合など設置状態の違いにより、報知状態を変えたい場合にリモコン側に設置状態を登録するなど操作が煩雑になってしまうという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、当該プロジェクターの画像を投写して表示するプロジェクターであって、当該プロジェクターの筐体に備えられ、動作状態を報知するための本体報知部と、前記報知部を、報知状態の異なる第１報知モード、または第２報知モードのいずれかに設定する報知モード設定手段と、当該プロジェクターの動作を制御する制御手段と、を備え、前記制御手段は、前記報知モード設定手段に設定された前記第１報知モード、または前記第２報知モードのいずれかに基づき、当該プロジェクターの動作状態を前記本体報知部により報知する、ことを特徴とする。
【０００８】
本適用例によれば、本体報知部を報知状態の異なる第１報知モード、または第２報知モードのいずれかに設定することができるので、例えば、天吊設置や明るい部屋等に設置する場合は使用者の視認性が高い報知モード、プロジェクターを机上に設置する正置設置や暗い部屋に設置する場合は画像投写時に目障りにならないような報知モード、など設置環境に応じて報知モードを使用者が選択することが可能となる。このように、リモコンなどを用いることなく簡便な方法で報知内容を確認することができる。
【０００９】
［適用例２］上記適用例に記載のプロジェクターにおいて、当該プロジェクターの設置状態を天吊設置モード、または正置設置モードのいずれかに設定する設置モード設定手段をさらに備え、前記報知モード設定手段は、前記設置モード設定手段による設定状態に基づき、前記報知部を前記第１報知モードまたは前記第２報知モードのいずれかに設定することを特徴とする。
【００１０】
本適用例によれば、設置モード設定手段による設定状態が、高い場所から吊下げて使う天吊設置モード、または、机上などに設置して使う正置設置モードに基づき、本体報知部が第１報知モード、または第２報知モードのいずれかに設定されるので、使用者が設置モードを設定するだけで報知モードを設定することが可能となる。
【００１１】
［適用例３］上記適用例に記載のプロジェクターにおいて、当該プロジェクターの周囲の明るさを検出する照度検出手段をさらに備え、前記報知モード設定手段は、前記照度検出手段の検出結果に基づき、前記報知部を前記第１報知モードまたは前記第２報知モードのいずれかに設定することを特徴とする。
【００１２】
本適用例によれば、照度検出手段による周囲の検出照度に基づき、本体報知部が、第１報知モード、または第２報知モードのいずれかに設定されるので、プロジェクターの周囲の明るさが変わった場合でも、使用者が特別な操作を行うことなく、簡易に報知モードを設定することが可能となる。
【００１３】
［適用例４］本適用例に係るプロジェクターシステムは、画像を投写するプロジェクターと、当該プロジェクターを吊り下げ、支持する天吊装置と、を備えたプロジェクターシステムであって、前記プロジェクターは、当該プロジェクターの動作を制御する制御手段を備え、前記天吊装置は、当該プロジェクターの動作状態を報知するための天吊装置報知部を備え、前記制御手段は、当該プロジェクターの動作状態を前記天吊装置報知部により報知する、ことを特徴とする。
【００１４】
本適用例によれば、プロジェクターを天吊設置する場合に、天吊装置に備えられた天吊装置報知部により、プロジェクターの動作状態が報知されるので、プロジェクター本体の報知部では視認しにくい環境でも、天吊装置報知部により、プロジェクターの動作状態を簡易に把握することが可能となる。
【００１５】
［適用例５］本適用例に係るプロジェクターの制御方法は、画像を投写するプロジェクター筐体に備えられ、動作状態を報知するための本体報知部を有するプロジェクターの制御方法であって、前記本体報知部を、報知状態の異なる第１報知モードと、第２報知モードのいずれかに設定する報知モード設定ステップと、当該プロジェクターの動作状態を前記本体報知部により、前記第１報知モードまたは前記第２報知モードのいずれかの報知モードで報知する報知ステップと、を有することを特徴とする。
【００１６】
本適用例によれば、本体報知部の報知状態を報知状態の異なる第１報知モード、または第２報知モードのいずれかに設定することができるので、天吊状態や、正置設置で明るい部屋で使用する場合は使用者の視認性が高い報知モード、正置設置で暗い部屋で使用する場合は画像投写時に目障りにならないような報知モードなど設置環境に応じて報知モードを使用者が選択することが可能となる。
【図面の簡単な説明】
【００１７】
【図１】実施形態１のプロジェクター１の斜視図。
【図２】プロジェクターと天吊装置報知部の設置状態を示す図。（ａ）は天吊り装置および天吊装置報知部とプロジェクターとの設置状態の斜視図、（ｂ）は天吊装置報知部４０を下方から見た斜視図。
【図３】プロジェクター１の概略構成を示すブロック図。
【図４】設置モード、および照度検出部２４の検出照度に対応する報知モード設定を示す図。
【図５】プロジェクター１の動作を示すフローチャート。
【図６】報知モードに対応する本体報知部２６の報知状態を示す図。
【図７】変形例１のプロジェクター１の本体報知部２６の報知状態を示す部分拡大図であり、（ａ）は第１報知モード、（ｂ）は第２報知モードでの本体報知部２６の報知状態を示す。
【図８】変形例２のプロジェクター１の本体報知部２６の報知状態を示す部分拡大図であり、（ａ）は報知部カバー３が位置Ｐ１にあるとき、（ｂ）は報知部カバー３が位置Ｐ２にあるときの本体報知部２６の報知状態を示す。
【発明を実施するための形態】
【００１８】
以下、添付図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１９】
（第１実施形態）
図１は本実施形態のプロジェクター１の斜視図である。
図１に示すように、プロジェクター１の筐体２の前面２ｆに形成される開口部からは、投写レンズ１３が露出している。筐体２の上面２ｔにはプロジェクター１を操作するための入力操作手段２３、プロジェクター１の周囲の照度を検出する照度検出手段２４、ＬＥＤやブザー等で構成される本体報知部２６が備えられている。本実施形態では本体報知部２６は、３つの報知ＬＥＤ２６１、２６２、２６３で構成される。
【００２０】
図２（ａ）、（ｂ）は本実施形態のプロジェクター１と天吊装置４０の設置状態を示す図である。
図２（ａ）に示すように、プロジェクター１は、筐体２が天吊装置４０で支持され、天吊装置４０には天吊装置報知部４１が備えられている。
図２（ｂ）は天吊装置報知部４１を示す図である。図２（ｂ）に示すように、天吊装置報知部４１は３つの天吊報知ＬＥＤ４１１，４１２，４１３、およびスピーカー４１０が備えられている。天吊装置報知部４１は、プロジェクター１を天吊装置４０により天吊設置した場合、下方から視認しやすいように天吊報知ＬＥＤ４１１，４１２，４１３などが配置されている。
【００２１】
図３は本実施形態のプロジェクター１の概略構成を示すブロック図である。
図３に示すように、プロジェクター１は、画像投写手段１０、ＯＳＤ処理手段１５、画像信号処理手段１６、画像信号入力手段１８、制御手段２０、記憶手段２１、入力操作手段２３、照度検出手段２４、光源制御手段２５、本体報知部２６、異常検出手段２７等で構成されており、これらはプロジェクター１の筐体２の内部に収容されている。
天吊装置４０は、天吊装置報知部４１等を備えており、天吊装置報知部４１は、コネクター３０を介してプロジェクター１の制御手段２０と接続されている。
【００２２】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２５】
上記実施形態では、光源１１として光源ランプ１１ａを用いて投写するプロジェクター１を例示したが、本発明は光源としてＬＥＤ光源やレーザー光源などを用いて投写するプロジェクターにも適用することができる。なお、上記の実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２６】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
また、制御手段２０は、報知モード設定手段２０１と、設置モード設定手段２０２とを備えている。
報知モード設定手段２０１は、本体報知部２６を、報知状態の異なる、第１報知モード或いは第２報知モードのいずれかに設定する。
設置モード設定手段２０２は、プロジェクター１の設置状態を高い場所から吊下げて使う天吊設置モード、または机上などに設置して使う正置設置モードのいずれかに設定する。
【００２７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２８】
入力操作手段２３は、プロジェクター１が、ユーザーからの入力操作を受け付けるものであり、ユーザーがプロジェクター１に対して各種指示を行うための複数の操作キーを備えており、プロジェクター１本体の筐体２外面に備えられる本体キーで構成されている。
入力操作手段２３が備える操作キーとしては、電源のオン・オフを交互に切り替えるための電源キーや、複数の画像信号入力手段１８に入力される画像入力端子を切り替えるための入力切替キー、各種設定を行うための設定メニューを重畳表示させるメニューキー、メニューからユーザーが設定項目を選択するカーソルキー、決定キー、エスケープキー、また、投写を中断する画面ミュートキー等がある。
【００２９】
ユーザーが入力操作手段２３の各種操作キーを操作すると、入力操作手段２３は、ユーザーの操作内容に応じた操作信号を制御手段２０に出力する。
なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００３０】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。
【００３１】
画像信号処理手段１６は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１５は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１５は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１５は、必要なＯＳＤ画像情報をＯＳＤメモリーから読み出し、投写画像上の所定の位置にＯＳＤ画像が重畳されるように、画像信号処理手段１６から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１５は、画像信号処理手段１６から入力される画像情報を、そのまま液晶駆動手段１４に出力する。
【００３３】
液晶駆動手段１４はＯＳＤ処理手段１５から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３４】
照度検出手段２４は、照度センサーなどで構成され、プロジェクター１の周囲の照度を検出し、制御手段２０に通知する。
【００３５】
光源制御手段２５は、制御手段２０の指示に基づいて、光源１１に対する電力の供給と停止とを制御し、光源１１の点灯及び消灯を切り替える。
【００３６】
本体報知部２６はＬＥＤ、ブザーなどで構成され、制御手段２０からの指示により、プロジェクター１の動作状態、異常発生状態をユーザーに報知する。本体報知部２６のＬＥＤの点灯輝度、およびブザー音量は制御手段２０の指示により変更できるように構成されている。
【００３７】
異常検出手段２７は、プロジェクター１の異常発生を検出し、制御手段２０に通知する。
【００３８】
天吊装置報知部４１はＬＥＤ、ブザーまたはスピーカーなどで構成され、制御手段２０からの指示により、プロジェクター１の動作状態、および異常発生状態をユーザーに報知する。
【００３９】
次に、本実施形態のプロジェクター１の、設置モード設定手段２０２による設置状態、および照度検出手段２４による周囲の検出照度、に対応する報知モード設定手段２０１への設定内容を、図４を用いて説明する。
図４に示すように、設置モード設定手段２０２が正置設置モードに設定されている場合、照度検出手段２４の検出照度が、所定の照度Ｌ１以上ならば報知モード設定手段２０１は第２報知モードに、検出照度がＬ１未満ならば、報知モード設定手段２０１は第１報知モードに設定される。
また、設置モード設定手段２０２が天吊設置モードに設定されている場合、照度検出手段２４の検出結果にかかわらず、報知モード設定手段２０１は第１報知モードに設定される。
なお、第1報知モード、および第２報知モードについては、後段で説明する。
【００４０】
次に、本実施形態のプロジェクターの動作を図５のフローチャートを用いて説明する。
先ず、プロジェクター１の制御手段２０が、入力操作手段２３への入力操作や、異常検出手段２７の検出結果などにより、動作状態の変化を検出する（ステップＳ１０１）。動作状態の変化を検出した制御手段２０は、設置モード設定手段２０２の設定状態（プロジェクター１の設置状態）、および照度検出手段２４により周囲の明るさを取得し（ステップＳ１０２）、ステップＳ１０３に遷移する。
【００４１】
ステップＳ１０３において制御手段２０は、ステップＳ１０２において取得した、設置モード設定手段２０２の設定状態（プロジェクター１の設置状態）、および照度検出手段２４による周囲の明るさの検出結果に基づき、報知モード設定手段２０１に第１報知モードまたは第２報知モードのいずれかを設定し、報知ステップとしてのステップＳ１０４に遷移する。このときの報知モード設定手段２０１の設定内容を図６に示す。なお、このステップＳ１０３が、報知モード設定ステップに相当する。
【００４２】
ステップＳ１０４において制御手段２０は、報知モード設定手段２０１に設定された第１報知モードまたは第２報知モードのいずれかに基づき、本体報知部２６によってプロジェクター１の動作状態を報知し、ステップＳ１０５に遷移する。このとき、報知モード設定手段２０１の設定内容（図６参照）により、本体報知部２６のＬＥＤの点灯輝度、およびブザー音量などを変更する。
【００４３】
ステップＳ１０５において制御手段２０は、設置モード設定手段２０２が天吊設置モードに設定されており、かつ天吊装置４０が接続されているか否かを調べる。設置モード設定手段２０２が天吊設置モードに設定されており、かつ天吊装置４０が接続されている場合（ステップＳ１０５：Ｙ）、ステップＳ１０６に遷移する。設置モード設定手段２０２が正置設置モードに設定されているか、天吊装置４０が接続されていない場合（ステップＳ１０５：Ｎ）、ステップＳ１０７に遷移する。
【００４４】
ステップＳ１０７において、本動作フローを終了する。
【００４５】
次に本体報知部２６の各報知モードでの報知状態について図６を参照して説明する。
本体報知部２６は、第１報知モード、または第２報知モードの２つのモードを持ち、図６に示す報知モード設定手段２０１の設定内容に基づき報知する。第１報知モードでは、本体報知部２６のＬＥＤ点灯輝度が明るく、ブザー音量が大きくなる。第２報知モードでは本体報知部２６のＬＥＤ点灯輝度が暗く、ブザー音量が小さくなる。
【００４６】
以上、説明したように、本実施形態のプロジェクター１によれば、本体報知部２６を報知状態の異なる第１報知モード、または第２報知モードのいずれかに設定することができるので、天吊設置、または明るい部屋での正置設置により使用する場合は使用者の視認性が高い第１報知モード、暗い部屋での正置設置により使用する場合は画像投写時に目障りにならないような第２報知モードなど設置環境に応じて報知モードを使用者が選択することが可能となる。
また、設置モード設定手段２０２による設定状態に基づき、本体報知部２６が第１報知モード、または第２報知モードのいずれかに設定されるので、使用者が設置モードを設定するだけで本体報知部２６の報知モードも同時に設定することが可能となる。
また、照度検出手段２４による周囲の検出照度に基づき、本体報知部２６が、第１報知モード、または第２報知モードのいずれかに設定されるので、プロジェクター１の周囲の明るさが変わった場合でも、使用者が特別な操作を行うことなく、報知モードを設定することが可能となる。
また、プロジェクター１を天吊設置する場合に、天吊装置４０に備えられた天吊装置報知部４１により、プロジェクター１の動作状態が報知されるので、プロジェクター１の本体報知部２６では視認しにくい環境でも、天吊装置報知部４１により、プロジェクター１の動作状態を簡易に把握することが可能となる。
【００４７】
また、上記実施形態は、以下のように変更してもよい。
（変形例１）
上述した実施形態では、本体報知部２６は、３つの報知ＬＥＤ２６１，２６２，２６３の点灯輝度を報知モード設定手段２０１の設定に応じて変更しているが、本変形例１の本体報知部２６の構成のように、３つの報知ＬＥＤ２６１，２６２，２６３をそれぞれ複数の小ＬＥＤ群が集まった構成とし、点灯個数による点灯面積の違いにより、本体報知部２６のＬＥＤの明るさを変更するようにしてもよい。
【００４８】
図７（ａ）、（ｂ）は本変形例の本体報知部２６の報知状態を示す部分拡大図であり、図７（ａ）は第１報知モード、図７（ｂ）は第２報知モードでの本体報知部２６の報知状態を示す。
図７（ａ）、（ｂ）に示すように、本体報知部２６のそれぞれの報知ＬＥＤ２６１，２６２，２６３はそれぞれ４つのＬＥＤ群で構成される。
図７（ａ）に示すように、第１報知モードでは、報知ＬＥＤ２６１，２６２，２６３はそれぞれの４つのＬＥＤの全てが点灯する。
図７（ｂ）に示すように、第２報知モードでは、報知ＬＥＤ２６１，２６２，２６３はそれぞれの４つのＬＥＤのうちの１つ、２６１ａ，２６２ａ，２６３ａのみが点灯する。
つまり、第２報知モードでは第１報知モードに比べ、報知ＬＥＤ２６１，２６２，２６３の点灯面積が小さくなり、明るさが暗くなる。
【００４９】
以上説明したように、本変形例のプロジェクター１によれば、本体報知部２６のそれぞれのＬＥＤを構成するＬＥＤ群の点灯個数により、ＬＥＤの輝度を変更できるので、ＬＥＤの輝度を個別に変えるための駆動電流変更回路などが不要になる。
【００５０】
（変形例２）
上述した実施形態では、本体報知部２６が、３つの報知ＬＥＤ２６１，２６２，２６３の点灯輝度を報知モード設定手段２０１の設定に応じて変更しているが、本変形例２の本体報知部２６のように、３つの報知ＬＥＤ２６１，２６２，２６３の点灯光を透過させるための開口部を持った報知部カバー３を備え、この報知部カバー３をスライドさせることにより開口部の大きさを変えるようにしてもよい。そして、この開口部の大きさが変わることにり、点灯光の透過面積が変わり、この透過面積の違いにより、本体報知部２６のＬＥＤの明るさを変更する。
図８（ａ）、（ｂ）は本変形例のプロジェクター１の報知状態を示す部分拡大図である。図８（ａ）、（ｂ）に示すように、報知部カバー３は本体報知部２６の上を位置Ｐ１と位置Ｐ２の間でスライド移動可能に設置されている。報知部カバー３には本体報知部２６の３つの報知ＬＥＤ２６１，２６２，２６３の点灯光を透過させるための報知部カバー開口部３ａ，３ｂ，３ｃが形成されており、各開口部は大小２つの矩形を結合させた形状になっている。
図８（ａ）は報知部カバー３が位置Ｐ１にあるときの報知状態を示す部分拡大図である。図８（ａ）に示すように、報知部カバー３が位置Ｐ１にあるときは、報知部カバー開口部３ａ，３ｂ，３ｃの大きな矩形側の開口部が本体報知部２６の３つの報知ＬＥＤ２６１，２６２，２６３の点灯領域を全て露出させ、それぞれの点灯光を全て透過させる。報知部カバー３が位置Ｐ１にある状態が第１報知モードに相当する。
図８（ｂ）は報知部カバー３が位置Ｐ２にあるときの報知状態を示す部分拡大図である。図８（ｂ）に示すように、報知部カバー３が位置Ｐ２にあるときは報知部カバー開口部３ａ，３ｂ，３ｃは小さな矩形側の開口部が本体報知部２６の３つの報知ＬＥＤ２６１，２６２，２６３のそれぞれ一部の表示領域を露出させ、それぞれの点灯光の一部を透過させる。従って報知部カバー３を位置Ｐ２に移動した状態では本体報知部２６の３つのＬＥＤの点灯光は透過面積が小さくなり、明るさが暗くなる。報知部カバー３が位置Ｐ２にある状態が第２報知モードに相当する。
【００５１】
以上、説明したように、報知部カバー３を位置Ｐ１または位置Ｐ２のいずれかに移動することにより、本体報知部２６のそれぞれのＬＥＤの点灯光を透過する面積を変え、ＬＥＤの明るさを変更できるので、ＬＥＤの輝度を個別に変えるための駆動電流変更回路などが不要になる。また、プロジェクター１の設置状態や周囲の明るさにかかわらず、使用者の所望の報知モードに変更することが可能になる。
【符号の説明】
【００５２】
１…プロジェクター、２…筐体、３…報知部カバー、３ａ，３ｂ，３ｃ…報知部カバー開口部、１０…画像投写手段、１１…光源、１２Ｒ，１２Ｇ，１２Ｂ…液晶ライトバルブ、１３…投写レンズ、１４…液晶駆動手段、１５…ＯＳＤ処理手段、１６…画像信号処理手段、１８…画像信号入力手段、１５…シャッター位置検出部、２０…制御手段、２１…記憶手段、２３…入力操作手段、２４…照度検出手段、２５…光源制御手段、２６…本体報知部、２６１，２６２，２６３…報知ＬＥＤ、２７…異常検出手段、３０…コネクター、４０…天吊装置、４１…天吊装置報知部、４１０…スピーカー、４１１，４１２，４１３…天吊報知ＬＥＤ。
【図１】
2013061515.tif 000003
【図２】
2013061515.tif 000004
【図３】
2013061515.tif 000005
【図４】
2013061515.tif 000006
【図５】
2013061515.tif 000007
【図６】
2013061515.tif 000008
【図７】
2013061515.tif 000009
【図８】
2013061515.tif 000010